(57)【要約】【課題】  小型のメモリカード類を収納ケースから容易に取り出すことが可能なメモリーカード類用収納ケースを提供する。【解決手段】  メモリカードと、該メモリカードをそれより大きなソケットに装着するための少なくとも１枚以上のメモリカード用アダプタと、からなるメモリカード類を収納するメモリカード類用収納ケースであって、前記収納ケースは、蓋部と身部とからなり、前記メモリカード類は前記身部の平面内に重ならないように配置されて、保持・収納され、底部外側の任意の所定の場所を押圧すると任意の前記メモリカードや前記メモリカード用アダプタを取り出すことが出来る機構を有することを特徴とする。【選択図】図１
2009202890.tif 000002
【特許請求の範囲】
【請求項１】
メモリカードと、該メモリカードをそれより大きなソケットに装着するための少なくとも１枚以上のメモリカード用アダプタと、からなるメモリカード類を収納するメモリカード類用収納ケースであって、前記収納ケースは、蓋部と身部とからなり、前記メモリカード類は前記身部の平面内に重ならないように配置されて、保持・収納され、前記身部の底部外側の任意の所定の場所を押圧すると任意の前記メモリカードや前記メモリカード用アダプタを取り出すことが出来る機構を有することを特徴とするメモリカード類用収納ケース。
【発明の詳細な説明】
【技術分野】
【０００１】
本発明は、メモリカードと、該メモリカードをそれより大きなソケットに装着するための少なくとも１枚以上のメモリカード用アダプタと、からなるメモリカード類を収納するメモリカード類用収納ケースに関するものである。
【背景技術】
【０００２】
従来、例えば図７（Ａ）〜（Ｃ）に示すような各種ＳＤメモリカードが提供されている。
【０００３】
ところで、近年メモリカードＭＣ を使用する携帯機器の小型化に伴ってＳＤメモリカードの小型化が望まれておりＳＤメモリカードの外形を一回り小さくしたミニＳＤカードやミニＳＤカードをさらに小さくしたマイクロSDカードなどの小型のメモリカードが提案されている。
【０００４】
また、これらの小型のメモリカードをそれよりも大きなソケットに装着して使用するためのメモリカード用アダプタも提案されている（例えば、特許文献１など）。
【０００５】
例えば、マイクロＳＤカードの販売に当たっては、このマイクロＳＤカード本体と、これをミニＳＤカード用のソケットやＳＤカード用ソケットに変換するメモリカード用アダプタと、をセットにして販売されることが多い。この際、例えば図３に示したような収納ケースにメモリカードとメモリカード用アダプタ（合わせて、以後メモリカード類ともいう）を収納して販売される。
【０００６】
【特許文献１】特開２００５−５０２８０号公報（第３頁−第９頁、及び、第1図）
【発明の開示】
【発明が解決しようとする課題】
【０００７】
上記従来のメモリカード類用収納ケースは、身部と蓋部とからなり、その身部に収納するメモリカードやメモリカード用アダプタを内嵌する枠を設けこれらが重ならないように身部に収納出来るようになっている。しかしながら、このような収納形態では、小型のメモリカード類を収納ケースから取り出すのが容易でない場合があった。
【０００８】
本発明は上述の点に鑑みて為されたものであり、その目的とするところは、小型のメモリカード類を収納ケースから容易に取り出すことが可能なメモリーカード類用収納ケースを提供することにある。
【課題を解決するための手段】
【０００９】
本発明者らは、メモリカード類用収納ケースの構成について鋭意検討を重ねた結果、メモリカード類用収納ケースの構成を下記のようにすることにより、上記目的を達成することが出来ることを見いだし、本発明をなすに至った。
【００１０】
すなわち、メモリカードと、該メモリカードをそれより大きなソケットに装着するための少なくとも１枚以上のメモリカード用アダプタと、からなるメモリカード類を収納するメモリカード類用収納ケースであって、前記収納ケースは、蓋部と身部とからなり、前記メモリカード類は前記身部の平面内に重ならないように配置されて、保持・収納され、底部外側の任意の所定の場所を押圧すると任意の前記メモリカードや前記メモリカード用アダプタを取り出すことが出来る機構を有することを特徴とする。
【発明の効果】
【００１１】
メモリカード類用収納ケースの身部に、所定の場所を押圧すると任意の前記メモリカードや前記メモリカード用アダプタを取り出すことが出来る機構が設けられているので、収納されているメモリカード類を容易に取り出すことが出来る。
【発明を実施するための最良の形態】
【００１２】
以下に、図面を参照して、本発明のメモリカード類用収納ケースを説明する。
【００１３】
図３は、一例の従来のメモリカード類用収納ケースの斜視図であり、メモリカード類を収納し、蓋をしている状態を示す。図４は、同収納ケースの蓋を開きメモリカード類を外した状態を示す平面図、同図５は斜視図である。メモリカード類用収納ケース１は身部１０と蓋部２０とヒンジ部３０とから構成される。身部１０と蓋部２０はヒンジ部３０で半折可能になっており、ヒンジ部３０を半折することにより、身部１０に設けられた凹嵌合部１３と蓋部２０に設けられた凸嵌合部２３とが嵌合して身部１０と蓋部２０とが閉じ合わせられ収納ケースを形成するようになっている。
【００１４】
身部１０の底部１１には、ＳＤカードアダプタ１００とミニＳＤカードアダプタ２００とマイクロＳＤカード（メモリカード）３００の各メモリカード類の外形状に合わせた枠状の立爪４０、５０、６０が形成されており、各メモリカード類１００、２００、３００を保持出来るようになっている。
【００１５】
枠状の立爪４０、５０、６０には、各メモリカード類１００、２００、３００を周囲から保持するとともに、底方向からも支えられるように立爪支持部４０ａ、５０ａ、６０ａが設けられている。
【００１６】
このような従来のメモリカード類用収納ケースにあっては、小型の収納ケースにさらに小型のメモリカード類が配置収納されているために、各メモリカード類を取り出すのが困難な場合があった。各メモリカード類を取り出すためには、各メモリカード類の縁に指先を差し入れてこじるようにして各メモリカード類をつまみ出さなければならないが、上述したような事情であるため、指先を差し入れる箇所が狭く、取り出し上の問題点があった。
【００１７】
図１に一例の本発明のメモリカード類用収納ケースの斜視図、図２に平面図を示す。メモリカード類用収納ケース１０００の基本構成、メモリカード類の保持機構は、従来のものと同様であるが、身部１０の底部１１に各メモリカード類１００、２００、３００の取り出し用の、押し出し機構７０が設けられている。
【００１８】
図６に押し出し機構の例を平面図にて示す。押し出し機構７０は、底部１１の各メモリカード類１００、２００、３００と相対する位置に形成され、押し部７０ａと押し棒７０ｂとから構成されている。押し部７０ａは、底部１１を押し部７０ａの形状を形成するようにくり抜いて（斜線部）形成することが出来る。押し棒７０ｂは押し部７０ａの略中央に形成され底部１１から上方に向かって形成され、その高さは立爪支持部４０ａ、５０ａ、６０ａの高さと略同じに形成される。
【００１９】
このような押し出し機構７０を備えた本発明のメモリカード類用収納ケース１０００にあっては、蓋部２０を開き、各メモリカード類１００、２００、３００を収納、保持した状態で、各メモリカード類１００、２００、３００に相対する底部に設けられた押し部７０ａをケースの外側から上方に指先で押すことにより、押し棒７０ｂが押し上げられ、押し棒７０ｂの先端が対応するメモリカード類を持ち上げ、メモリカード類を枠状の立爪４０、５０、６０による保持から解放するので、容易に各メモリカード類を取り出すことが出来る。
【００２０】
押し出し機構７０は、押し部７０ａと押し棒７０ｂとを備えておればよく、図１、図２で示した形状（図６（ａ）に示したもの）に限られず、その形状は任意のものが採用出来るが、図６（ｂ）に示したように、指先で押した場合の押し部７０ａの面積が適宜に広くなるような形状にすると押し易くなり好ましい。
【００２１】
以上、本実施の形態は本発明の好適な実施形態の一例を示したが、本発明はそれに限定されることなく、その要旨を逸脱しない範囲内で種々変形実施することが出来る。
【図面の簡単な説明】
【００２２】
【図１】本発明の一例のメモリカード類用収納ケースの斜視図である（オープン状態）。
【図２】本発明の一例のメモリカード類用収納ケースの平面視図である（オープン状態）。
【図３】従来のメモリカード類用収納ケースの斜視図である（収納状態）。
【図４】従来のメモリカード類用収納ケースの平面図である（オープン状態）。
【図５】従来のメモリカード類用収納ケースの斜視図である（オープン状態）。
【図６】押し出し機構を説明する平面図である。
【図７】（Ａ）はＳＤカード（Ｂ）はミニＳＤカード（Ｃ）はマイクロＳＤカードを示す斜視図である。
【符号の説明】
【００２３】
１    従来のメモリカード類収納用ケース
１０  身部
１１  底部
１３  凹嵌合部
２０  蓋部
２３  凸嵌合部
３０  ヒンジ部
４０、５０、６０  立爪    
４０ａ、５０ａ、６０ａ  立爪支持部
７０  押し出し機構
７０ａ  押し部
７０ｂ  押し棒
１００  ＳＤカードアダプタ
２００  ミニＳＤカードアダプタ
３００  マイクロＳＤカード
１０００  本発明のメモリカード類収納用ケース
【図１】
2009202890.tif 000003
【図２】
2009202890.tif 000004
【図３】
2009202890.tif 000005
【図４】
2009202890.tif 000006
【図５】
2009202890.tif 000007
【図６】
2009202890.tif 000008
【図７】
2009202890.tif 000009